(57)【要約】【課題】段ボールからの折上げが簡単で無駄がなく、略直方体形状の梱包物品を移動（位置ズレ）しないように保持して梱包できるパッケージを提供する。【解決手段】段ボール製の個装箱１に収容される段ボール製の保持パット３の中央部に、梱包物品４の左右両側部を両側から保持する左右の切起こし保持片３ａと、梱包物品の前後両端部を前後から保持する前後の切起こし保持片３ｂを設け、各切起こし保持片の切込みを入れた部分を各切起こし保持片の背面側へ直角に起こして倒れ防止片３ｅ，３ｇを形成した構成のパッケージとする。前後左右の切起こし保持片で梱包物品を前後左右に位置ズレしないように保持し、落下等の衝撃が作用した場合でも、梱包物品が各切起こし保持片を押し倒さないように倒れ防止片で各切起こし保持片を支えることにより、梱包物品の位置ズレを防止する。【選択図】図７
2009062057.tif 000002
【特許請求の範囲】
【請求項１】
略直方体形状の梱包物品を保持する段ボール製の保持パットを少なくとも収容した段ボール製の個装箱からなるパッケージにおいて、
保持パットの中央部に、梱包物品の左右両側部を両側から保持する左右の切起こし保持片と、梱包物品の前後両端部を前後から保持する前後の切起こし保持片を設け、各切起こし保持片の切込みを入れた部分を各切起こし保持片の背面側へ直角に起こして倒れ防止片を形成したことを特徴とするパッケージ。
【請求項２】
左右の切起こし保持片の上縁部を内側へ直角に折り曲げ、梱包物品の左右両側部を抱き込んだ状態で保持する鉤形の切起こし保持片を形成したことを特徴とする請求項１に記載のパッケージ。
【請求項３】
左右の切起こし保持片の中央部にコ字状の切込みを入れ、この切込みを入れた切起こし保持片の中央部を背面側へ直角に起こして倒れ防止片を形成すると共に、前後の切起こし保持片の両端部の下端に直線状の切込みを入れ、この切込みを入れた切起こし保持片の両端部を背面側へ直角に起こして倒れ防止片を形成したことを特徴とする請求項１又は請求項２に記載のパッケージ。
【請求項４】
保持パットの左右両側部を角筒状に折り曲げて、左右一対の互いに平行な角筒部を保持パットの上面側に形成したことを特徴とする請求項１ないし請求項３のいずれかに記載のパッケージ。
【請求項５】
保持パットを段ボール製の仕切パットの上に重ねて個装箱に収容し、保持パットの前後左右の切起こし保持片によって保持される梱包物品の下面を仕切パットで下方から支えると共に、梱包物品の上面を個装箱の蓋面部で上方から押さえるようにしたことを特徴とする請求項１ないし請求項４のいずれかに記載のパッケージ。
【請求項６】
梱包物品がポータブルナビゲーションデバイス（ＰＮＤ）本体であることを特徴とする請求項１ないし請求項５のいずれかに記載のＰＮＤ用パッケージ。
【発明の詳細な説明】
【技術分野】
【０００１】
本発明は、ＰＮＤ（ポータブルナビゲーションデバイス）本体の如き少し偏平な略直方体形状の梱包物品を運搬中の振動や落下の衝撃で容易に移動しないように保持して梱包することができるパッケージに関する。
【背景技術】
【０００２】
ＰＮＤ用パッケージとして、ＰＮＤ本体の左右両側部を両側から保持する左右一対の切起こし保持片が形成された段ボール製の保持パットを、段ボール製の個装箱に収容したものが知られている。
【０００３】
また、液晶表示盤などの梱包物品の隅角部に当てがって運搬中の振動等から梱包物品を保護するパッキンであって、一枚の段ボールから折上げられる折畳式の段ボール製パッキン（特許文献１）や、段ボールから組立てられる梱包用保持部材であって、中央に梱包物品の端部を嵌合する開口を有し、両端に角筒部を折り曲げて形成した梱包用保持部材（特許文献２）も知られている。
【特許文献１】特許第２６９１６５９号公報
【特許文献２】実用新案登録第３０２８７６９号公報
【発明の開示】
【発明が解決しようとする課題】
【０００４】
しかしながら、従来のＰＮＤ用パッケージは、ＰＮＤ本体を保持パットの左右一対の切起こし保持片で両側から保持するだけであるため、落下試験や振動試験を行うと、ＰＮＤ本体が前後方向に簡単に移動（位置ズレ）するという問題があった。しかも、このＰＮＤ用パッケージの切起こし保持片には倒れ防止手段が設けられていないため、落下などの大きい衝撃力を受けると、ＰＮＤ本体が切起こし保持片を背面側へ押し倒して移動するという問題もあった。
【０００５】
一方、特許文献１の段ボール製パッキンや特許文献２の梱包用保持部材は、いずれも梱包物品を位置ずれしにくいように保持することができるものの、特許文献１の段ボール製パッキンは段ボールからの折上げが相当複雑であり、また、特許文献２の梱包用保持部材は大きい開口部を形成する分だけ材料の段ボールが無駄になることから、これら特許文献１，２の梱包技術をＰＮＤ用パッケージに適用することは、得策と言い難い。
【０００６】
本発明は上記事情の下になされたもので、その解決しようとする課題は、段ボールからの折上げが簡単で無駄がなく、しかも、ＰＮＤ本体の如き略直方体形状の梱包物品を移動（位置ズレ）しないように保持して梱包できるパッケージを提供することにある。
【課題を解決するための手段】
【０００７】
上記課題を解決するため、本発明に係るパッケージは、略直方体形状の梱包物品を保持する段ボール製の保持パットを少なくとも収容した段ボール製の個装箱からなるパッケージにおいて、保持パットの中央部に、梱包物品の左右両側部を両側から保持する左右の切起こし保持片と、梱包物品の前後両端部を前後から保持する前後の切起こし保持片を設け、各切起こし保持片の切込みを入れた部分を各切起こし保持片の背面側へ直角に起こして倒れ防止片を形成したことを特徴とするものである。
【０００８】
本発明のパッケージにおいては、左右の切起こし保持片の上縁部を内側へ直角に折り曲げ、梱包物品の左右両側部を抱き込んだ状態で保持する鉤形の切起こし保持片を形成することが好ましい。そして、左右の切起こし保持片の中央部にコ字状の切込みを入れ、この切込みを入れた切起こし保持片の中央部を背面側へ直角に起こして倒れ防止片を形成すると共に、前後の切起こし保持片の両端部の下端に直線状の切込みを入れ、この切込みを入れた切起こし保持片の両端部を背面側へ直角に起こして倒れ防止片を形成することが好ましい。
【０００９】
また、本発明のパッケージにおいては、保持パットの左右両側部を角筒状に折り曲げて、左右一対の互いに平行な角筒部を保持パットの上面側に形成することが好ましい。そして、保持パットを段ボール製の仕切パットの上に重ねて個装箱に収容し、保持パットの前後左右の切起こし保持片によって保持される梱包物品の下面を仕切パットで下方から支えると共に、梱包物品の上面を個装箱の蓋面部で上方から押さえるようにすることが好ましい。本発明に係るパッケージの代表的なものは、梱包物品がポータブルナビゲーションデバイス（ＰＮＤ）本体であるＰＮＤ用パッケージである。
【発明の効果】
【００１０】
本発明のパッケージのように、保持パットの中央部に、梱包物品の左右両側部を両側から保持する左右の切起こし保持片と、梱包物品の前後両端部を前後から保持する前後の切起こし保持片を設け、各切起こし保持片の切込みを入れた部分を各切起こし保持片の背面側へ直角に起こして倒れ防止片を形成すると、梱包物品が前後左右の切起こし保持片によって、前後左右いずれの方向にも移動（位置ズレ）しないように保持される。そして、落下などによる大きい衝撃力が作用した場合でも、各切起こし保持片は倒れ防止片によって背面側（外側）へ倒れないように支えられているため、梱包物品が衝撃力で各切起こし保持片を背面側（外側）へ押し倒して移動（位置ズレ）することはなくなる。また、上記のような前後左右の切起こし保持片とその倒れ防止片を設けた段ボール製の保持パットは、後述するように、切込みと折り目を入れた一枚の段ボールから簡単に且つ無駄なく折上げることができる。
【００１１】
本発明のパッケージにおいて、左右の切起こし保持片の上縁部を内側へ直角に折り曲げ、梱包物品の左右両側部を抱き込んだ状態で保持する鉤形の切起こし保持片を形成したものは、鉤形の切起こし保持片による梱包物品の保持が上記のように抱き込み状態となるため、梱包物品の位置ズレ防止効果が顕著になる。
【００１２】
そして、左右の切起こし保持片の中央部にコ字状の切込みを入れ、この切込みを入れた切起こし保持片の中央部を背面側へ直角に起こして倒れ防止片を形成すると共に、前後の切起こし保持片の両端部の下端に直線状の切込みを入れ、この切込みを入れた切起こし保持片の両端部を背面側へ直角に起こして倒れ防止片を形成したものは、倒れ防止片の形成が極く簡単であり、落下等による大きい衝撃力を受けた場合でも梱包物品によって前後左右の切起こし保持片が押し倒されないように、上記の倒れ防止片によって切起こし保持片を背後から確実に支えることができる。
【００１３】
また、保持パットの左右両側部を角筒状に折り曲げて、左右一対の互いに平行な角筒部を保持パットの上面側に形成したものは、これらの角筒部によって保持パットの剛性が高められると共に、角筒部相互間に梱包物品を納める凹空部が確保されるようになる。
【００１４】
更に、保持パットを段ボール製の仕切パットの上に重ねて個装箱に収容し、保持パットの前後左右の切起こし保持片によって保持される梱包物品の下面を仕切パットで下方から支えると共に、梱包物品の上面を個装箱の蓋面部で上方から押さえるようにしたものは、蓋面部と仕切パットで梱包物品が上下から挟まれた状態で保持されるので、梱包物品の位置ズレ防止効果が一層顕著になる。
【発明を実施するための最良の形態】
【００１５】
以下、図面を参照して本発明の具体的な実施形態を詳述する。
【００１６】
図１は本発明の一実施形態に係るパッケージの分解斜視図、図２は同パッケージの個装箱の展開図、図３〜図６は同個装箱の折上げの手順を示す斜視図、図７は同パッケージの保持パットの斜視図、図８は同保持パットの展開図、図９は同保持パットの平面図、図１０は同パッケージの仕切パットの展開図である。
【００１７】
このパッケージは、二等辺台形の四側面を有する少し偏平な直方体形状のＰＮＤ本体を備品と共に梱包するもので、図１に示すように、段ボール製の個装箱１と、段ボール製の仕切パット２と、ＰＮＤ本体を保持する段ボール製の保持パット３とから成る。
【００１８】
個装箱１の仕切パット２より下側の内部空間には、ＰＮＤアンテナ、ＡＣ電源用バッテリ、充電用コネクタ（ソケット）、車載用スタンドなどの備品が収容されるようになっており、ＰＮＤ本体を保持する保持パット３は仕切パット２の上に重ねられて個装箱１の上部に収容されるようになっている。
【００１９】
個装箱１は、図２に示す展開図の段ボール１０を次の手順で折上げて製作したものである。先ず、図２に示す段ボール１０の方形の底面部１ａに連なる前側面部１ｂと後側面部１ｃを、折り目１１ａ，１１ａに沿って、図３に示すように上方に折り曲げると共に、図２に示す前側面部１ｂの左右両端に連なる折り代部１ｄ，１ｄと、後側面部１ｃの左右両端に連なる折り代部１ｅ，１ｅを、それぞれ折り目１１ｂ，１１ｂ，１１ｃ，１１ｃに沿って、図３に示すように内側へ直角に折り曲げる。
【００２０】
次いで、図２に示す段ボール１０の左側外面部１ｆと右側外面部１ｇを、折り目１１ｄ，１１ｄに沿って、図４に示すように上方へ直角に折り曲げ、左側外面部１ｆに連なる左側内面部１ｈと、右側外面部１ｇに連なる右側内面部１ｉを、２つの折り目１１ｅ，１１ｆに沿って、それぞれ内側に折り曲げると共に下方へ折り返し、図２に示す左側内面部１ｈの２つの突部１ｊ，１ｊと右側内面部１ｉの２つの凸部１ｋ，１ｋを、底面部１ａの左右両端の長孔部１ｍ，１ｍ，１ｎ，１ｎに嵌め込んで、二重構造の左右側面を形成する。これによって、蓋面部１ｐを開けた状態の個装箱１が完成する。
【００２１】
この個装箱１に前記の備品、仕切パット２、ＰＮＤ本体を保持した保持パット３を収容して梱包するときは、図２に示す段ボール１０の蓋面部１ｐの左右両側に連なる折り代部１ｑ，１ｑを、折り目１１ｇ，１１ｇに沿って、図４に示すように前方へ直角に折り曲げ、蓋面部１ｐを折り目１１ｈに沿って、図５に示すように前方へ直角に折り曲げながら、蓋面部１ｐの両側の折り代部１ｑ，１ｑを、左右両側の内面部１ｈ，１ｉと仕切パット２及び保持パット３との隙間に挿入する。そして、蓋面部１ｐに連なる前側外面部１ｒの左右両端の折り代部１ｓ，１ｓを、折り目１１ｉ，１１ｉに沿って、図５に示すように下方へ直角に折り曲げ、前側外面部１ｒを折り目１１ｊに沿って、図６に示すように下方へ直角に折り曲げながら、折り代部１ｓ，１ｓを図６に示すように左右両側の外面部１ｆ，１ｇと前側面部１ｂの左右両端の折り代部１ｄ，１ｄとの隙間に挿入すると、梱包が完成する。
【００２２】
材料の段ボールとしては、通常の段ボールの他に、オレフィン系樹脂でコーティングを施したコートボールなども好ましく使用される。
【００２３】
前記の仕切パット２は、図１０に示す展開図の段ボール２０を折り曲げて製作されたものである。即ち、この段ボール２０は、切欠き部２ｆを設けた天面部２ａの四周に、該切欠き部２ｆを除いて側面部２ｂ，２ｃ，２ｄ，２ｅを形成したものであって、前記の仕切パット２は、この段ボール２０の側面部２ｂ，２ｃ，２ｄ，２ｅを、四周の折り目２１ａ，２１ｂ，２１ｃ，２１ｄに沿って、図１に示すように下方へ直角に折り曲げることによって作製されている。
【００２４】
この仕切パット２は、既述したように個装箱１に収容され、前記の備品が仕切パット２の下部空間に収納されるようになっている。尚、天面部２ａの切欠き部２ｆは、個装箱１から備品を取り出すときに、手先を切欠き部２ｆに入れて容易に仕切パット２を除去できるようにしたものである。
【００２５】
このパッケージの大きい特徴は、仕切パット２の上に重ねられて個装箱１に収容されるＰＮＤ本体保持用の保持パット３にある。即ち、この保持パット３は、図７，図９に示すように、梱包物品たるＰＮＤ本体４の左右両側部を両側から保持する左右の切起こし保持片３ａ，３ａと、ＰＮＤ本体４の前後両端部を前後から保持する前後の切起こし保持片３ｂ，３ｂをパット中央部に設けたものであって、左右の切起こし保持片３ａ，３ａは、その上縁部３ｃ，３ｃを内側へ直角に折り曲げることによって鉤形に形成されており、この鉤形の左右の切起こし保持片３ａ，３ａによってＰＮＤ本体４の左右両側部を抱き込んだ状態でしっかりと保持できるようになっている。
【００２６】
そして、図７，図８に示すように、左右の切起こし保持片３ａ，３ａの中央部にはコ字状の切込み３ｄ，３ｄが入れられ、この切込みの入った切起こし保持片３ａ，３ａの中央部を背面側（外側）へ直角に起こすことによって、切起こし保持片３ａ，３ａが背面側へ倒れないように背面側から支える倒れ防止片３ｅ，３ｅが形成されている。また、前後の切起こし保持片３ｂ，３ｂの両端部の下端には直線状の切込み３ｆ，３ｆが入れられ、この切込みの入った切起こし保持片３ｂ，３ｂの両端部を背面側（外側）へ直角に起こすことによって、切起こし保持片３ｂ，３ｂが背面側へ倒れないように背面側から支える倒れ防止片３ｇ，３ｇが形成されている。
【００２７】
尚、前後左右の切起こし保持片３ｂ，３ｂ，３ａ，３ａの間にＰＮＤ本体４をセットする前に、これらの切起こし保持片の切込みを入れた部分を背面側に起こし倒れ防止片３ｅ，３ｇを形成すると、その後、ＰＮＤ本体４をセットしにくくなるので、ＰＮＤ本体４をセットしてから倒れ防止片３ｅ，３ｇを形成することが望ましい。
【００２８】
図７，図９に示すように、この保持パット３の左右両側部は角筒状に折り曲げられて、左右一対の互いに平行な角筒部３ｈ，３ｈが保持パットの上面側に形成されている。このような角筒部３ｈ，３ｈが形成されていると、保持パット３の剛性が高められ，また、角筒部３ｈと角筒部３ｈの間にＰＮＤ本体４を納める凹空部が確保される。この角筒部３ｈの高さは、ＰＮＤ本体４や左右の切起こし保持片３ａ，３ａの高さと実質的に同一とされており、且つ、仕切パット２の天面部２ａから個装箱１の蓋面部１ｐまでの高さとも実質的に同一とされている。従って、前記のように個装箱１の蓋面部１ｐを閉じて梱包すると、保持パット３が個装箱１の仕切パット２より上側の内部空間にガタツキを生じることなく収容され、ＰＮＤ本体４の下面が仕切パット２の天面部２ａで下方から支えられると共に、ＰＮＤ本体４の上面が蓋面部１ｐで上方から押さえられて、ＰＮＤ本体４が上下から挟まれた状態となる。
【００２９】
上記の保持パット３は、図８に示す展開図の段ボール３０を折上げて製作されるものである。即ち、この段ボール３０は、長方形の段ボールの中央部に、左右の切起こし保持片３ａ，３ａを形成するための２本の長い横方向の切込み３ｉ，３ｉと１本の長い縦方向の切込み３ｊが設けられている。そして、前後の切起こし保持片３ｂ，３ｂを形成するための合計４本の短い縦方向の切込み３ｋ，３ｋ，３ｋ，３ｋが上記横方向の切込み３ｉ，３ｉに連ねて設けられており、これらの短い縦方向の切込み３ｋの端部から、前述した倒れ防止片３ｇを形成するための切込み３ｆが合計４本設けられている。また、左右の切起こし保持片３ａ，３ａの中央部には、前記の倒れ防止片３ｅ，３ｅを形成するためのコ字状の切込み３ｄ，３ｄが形成されており、一方の切起こし保持片３ａの上縁部３ｃには、指先を入れて引き上げる半円形の凹欠部３ｍが形成されている。更に、この段ボール３０の左右両側部には、前記の角筒部３ｈを形成するための折り目３ｎが４本づつ設けられている。
【００３０】
上記の段ボール３０を用いて保持パット３を製作するときは、先ず、半円形の凹欠部３ｍに指先を入れ、一方の切起こし保持片３ａを折り目３ｐに沿って上方へ直角に折り曲げると共に、その上縁部３ｃを折り目３ｔに沿って内側へ直角に折り曲げることによって、一方の鉤形の切起こし保持片３ａを立設し、同じ要領で他方の鉤形の切起こし保持片３ａも立設する。そして、前後の切起こし保持片３ｂ，３ｂを折り目３ｑ，３ｑに沿って上方へ直角に折り曲げることによって、前後の切起こし保持片３ｂ，３ｂを立設し、更に、段ボール３０の両側部を４本の折り目３ｎに沿って角筒状に折り曲げることによって左右一対の角筒部３ｈ，３ｈを形成する。
【００３１】
このように段ボール３０を折上げて製作した保持パット３は、仕切パット２の上に重ねて蓋の開いた個装箱１に収容し、前後左右の切起こし保持片３ｂ，３ｂ，３ａ，３ａの間にＰＮＤ本体４をセットしてから、左右の切起こし保持片３ａ，３ａの中央部の倒れ防止片３ｅ，３ｅと、前後の切起こし保持片３ｂ，３ｂの両端部の倒れ防止片３ｇ，３ｇを、それぞれ折り目３ｒ，３ｓに沿って背面側（外側）へ折り曲げる。そして、既述した要領で個装箱１の蓋面部１ｐを閉じて梱包を完了する。
【００３２】
上記のように梱包すると、ＰＮＤ本体４は保持パット３の前後左右の切起こし保持片３ｂ，３ｂ，３ａ，３ａによって前後左右いずれの方向にも移動（位置ズレ）しないように保持される。そして、落下などによる大きい衝撃力が作用した場合でも、各切起こし保持片３ａ，３ａ，３ｂ，３ｂは倒れ防止片３ｅ，３ｇによって背面側（外側）へ倒れないように支えられているため、ＰＮＤ本体４が衝撃力で各切起こし保持片を背面側（外側）へ押し倒して移動（位置ズレ）することはない。しかも、このパッケージは、前述のように保持パット３が個装箱１の仕切パット２より上側の内部空間にガタツキを生じることなく収容され、ＰＮＤ本体４の下面が仕切パット２の天面部２ａで下方から支えられると共に、ＰＮＤ本体４の上面が蓋面部１ｐで上方から押さえられて、ＰＮＤ本体４が上下から挟まれた状態となっているため、ＰＮＤ本体４の位置ズレ防止効果が顕著である。因みに、このパッケージは一角、三陵、六面の落下試験及び振動試験に合格するものであった。
【００３３】
また、このパッケージは、切込みと折り目を入れた図８に示す一枚の方形の段ボール３０から保持パット３を簡単に且つ無駄なく折上げることができ、個装箱１や仕切板２も簡単に折上げることができるので、作業性や経済性にも優れたものである。
【００３４】
以上、梱包物品がＰＮＤ本体４である場合を例に上げて本発明のパッケージを説明したが、本発明のパッケージは、言うまでもなく、ＰＮＤ本体以外の略直方体形状を有する種々の梱包物品に適用されるものである。
【図面の簡単な説明】
【００３５】
【図１】本発明の一実施形態に係るパッケージの分解斜視図である。
【図２】同パッケージの個装箱の展開図である。
【図３】同個装箱の折上げの手順を示す斜視図である。
【図４】同個装箱の折上げの手順を示す斜視図である。
【図５】同個装箱の折上げの手順を示す斜視図である。
【図６】同個装箱の折上げの手順を示す斜視図である。
【図７】同パッケージの保持パットの斜視図である。
【図８】同保持パットの展開図である。
【図９】同保持パットの平面図である。
【図１０】同パッケージの仕切パットの展開図である。
【符号の説明】
【００３６】
１    個装箱
１ｐ  個装箱の天面部
２    仕切パット
３    保持パット
３ａ  左右の切起こし保持片
３ｂ  前後の切起こし保持片
３ｃ  左右の切起こし保持片の上縁部
３ｄ  コ字状の切込み
３ｅ，３ｇ  倒れ防止片
３ｆ  直線状の切込み
３ｈ  角筒部
４    ＰＮＤ本体（梱包物品）
【図１】
2009062057.tif 000003
【図２】
2009062057.tif 000004
【図３】
2009062057.tif 000005
【図４】
2009062057.tif 000006
【図５】
2009062057.tif 000007
【図６】
2009062057.tif 000008
【図７】
2009062057.tif 000009
【図８】
2009062057.tif 000010
【図９】
2009062057.tif 000011
【図１０】
2009062057.tif 000012